(57)【要約】      （修正有）【課題】干し物竿又はその他の竿に吊下げて乾燥することができるマットレスの内部に収容されるクッション材を提供する。【解決手段】クッション材２はマットレスから取り外した中材（クッション材）２を乾燥する場合、概略Ｓ形をした吊具９を介して干し物竿８に吊下げることが出来る。コーナー部にループ７を設け、ループ７を介して吊下げることが出来る。【選択図】図３
0003232636.tif 000002
【実用新案登録請求の範囲】
【請求項１】
マットレスの内部に収容される中材（クッション材）及びその他ソファーや枕のクッション材において、これら中材やクッション材を乾燥する場合、干し物竿に吊下げることが出来るように、外周にループを設けたことを特徴とするクッション材。
【請求項２】
上記ループを長方形をしたコーナー部に設けた請求項１記載のクッション材。
【請求項３】
上記ループを長方形をした対角線上に設けた請求項２記載のクッション材。
【請求項４】
上記中材やクッション材の全外周に縁材を設け、該縁材にループを縫い付け固定した請求項１、請求項２、又は請求項３記載のクッション材。
【考案の詳細な説明】
【技術分野】
【０００１】
本考案はマットレスの中材（クッション材）やその他ソファーや枕のクッション材であって、乾燥する為に吊下げることが出来る機能を有すクッション材に関する。
【背景技術】
【０００２】
ベッドを使用して就寝する場合、該ベッドの上面には一般的にマットレスが敷かれる。
マットレスはクッション性を有す中材（クッション材）とカバーから成り、中材は袋状のカバーに収容されて使われる。中材は一定厚さの長方形を有し、カバーにはファスナーが設けられ、該ファスナーを開いて開口することで、中材をカバーから出し入れすることが出来る。上記中材にも色々なタイプがあり、複数のコイルスプリングを配列したコイル系と、コイルスプリングを持たないノンコイル系とに大別される。
【０００３】
ところで、マットレスは毎日使われる為に、時々カバーを外して洗濯しなくてはならない。少なくとも、日当たりの良い場所で乾燥する必要がある。
図４はマットレスのカバー（イ）から中材（ロ）を取外す場合を表している。長方形をしたカバー（イ）の長辺にはファスナー(ホ)が設けられ、このファスナー(ホ)を開くことで開口し、この開口から中材（ロ）を取出すことが出来る。しかし、中材（ロ）は比較的重く、その為に該開口から中材（ロ）を取出す作業は面倒であり、力の弱い女性にとっては容易でない。特に、中材（ロ）を開口からカバー（イ）に収容することはさらに困難である。
【０００４】
図５は３つ折りのマットレスを表しているが、１／３の大きさ及び重量と成った中材（ハ）は、仕切りを介して３つの空間を形成したカバー（ニ）、（ニ）・・・のそれぞれの空間に収容されている。各々の中材（ハ）、（ハ）・・・は、その大きさ及び重量が１／３と成っていることで、カバー（ニ）、（ニ）・・・の各収容空間から取出し易いが、その分、時間はかかる。
【０００５】
実用新案登録第３１８５１８１号に係る「マットレスカバー」は、マットレス全体を覆うタイプのマットレスカバーにおいて、マットレスへの着脱を容易にするマットレスカバーである。
マットレスカバーは、マットレスの上面を覆う上面部と、側面を覆う側面部と、下面を覆う下面部とから構成されている。また、上面部，下面部は、それぞれ外縁に沿って線ファスナーが設けられていると共に、側面部は、両側に位置する各縁部に沿って線ファスナーが設けられている。そして、上面部は、線ファスナーにより側面部に着脱可能に構成されていると共に、下面部は、線ファスナーにより側面部に着脱可能に構成されている。
【０００６】
特許第３０１４０６８号に係る「ベッド用の寝具カバー」は、ベッド用のマットレスや掛布団の縁飾り等の側周片の付いた寝具カバ−を、折りたたみやすく、かつ洗濯がしやすくなってる。
ベッド用のマットレスや掛布団の寝具カバ−本体の周囲に縁飾り等の側周片をファスナ−で着脱可能に取り付けるようにしている。ファスナ−は、その一側の係合片を寝具カバ−本体の上辺の一端部側から側辺、下辺、側辺、上辺の他端部側にわたって連続して取り付け、ファスナ−の他側の被係合片を寝具カバ−本体の上記三辺に対応した縁飾り等の側周片の内側縁に取り付けている。そのため、寝具カバ−本体に縁飾り等の側周片をファスナ−で容易に着脱可能に取り付けられ、寝具カバ−を折りたたみやすく、洗濯がしやすくできる。
【０００７】
１枚ないし複数枚の中材をカバーに簡単に出し入れすることが出来るマットレスであって、マットレスのカバー裏面の三方にはファスナーを沿設し、各コーナーは滑らかな円弧を成し、該ファスナーを開閉する為に一方端から他方端にスライド移動するスライダーを設け、ファスナーを開いてカバー裏面を大きく開口して中材を出し入れ可能としている。
【特許文献１】実用新案登録第３１８５１８１号に係る「マットレスカバー」
【特許文献２】特許第３０１４０６８号に係る「ベッド用の寝具カバー」
【考案の開示】
【考案が解決しようとする課題】
【０００８】
このように、マットレスには中材（クッション材）を収容しており、時々取外して洗濯しなくてはならず、また日当たりの良い場所に吊下げて乾燥しなくてはならない。しかし、従来の中材は一般の洗濯物のように干し物竿に吊下げることは出来ず、住宅の周りに立て掛けて乾燥している。その為に、立て掛ける場所が必要であり、面倒である。
本考案が解決しようとする課題はこの問題点であり、干し物竿又はその他適当な竿に吊下げて乾燥することが出来るようにした中材を提供する。また、マットレスの中材に限らず、その他ソファーや枕などの一般的なクッション材も含まれる。
【課題を解決するための手段】
【０００９】
本考案に係るマットレスの中材及びその他クッション材は四角形をなし、該中材やその他クッション材のコーナーにはループを設けていて、該ループを介して干し物竿に吊下げることが出来る。ここで、上記ループの具体的な形態は限定しないが、例えば円弧状に湾曲したループを形成することが出来、該ループを干し物竿に嵌めて吊下げることが出来る。又は、ループを別な吊具に係止して干し物竿に吊下げることが出来る。
ところで、該ループはマットレスの中材やその他クッション材のコーナー部に縫い付けて固定することが出来、また、該ループを中材のコーナー部に縫い付けることなく、マットレスの中材やその他クッション材の全外周を拘束する縁材を設け、縁材のコーナー部にループを縫い付けて一体構成することが出来る。
【００１０】
縁材はマットレスの中材やクッション材の全外周に嵌って拘束するバンドであり、例えば伸縮可能なバンドで構成する縁材は、中材やクッション材に嵌めることが出来る。したがって、ループを干し物竿に嵌めるならば、マットレスの中材やクッション材は吊下げられ、普通の洗濯物と同じように乾燥することが出来る。
また、吊具として、金属製又は樹脂製の概略S形の吊具を中材やクッション材又は縁材のコーナーに形成したループに嵌めて取付けることが出来る。
【考案の効果】
【００１１】
本考案のマットレスの中材やクッション材のコーナーには円弧状をしたループが形成され、該ループを介して干し物竿に吊下げることが出来る。したがって、マットレスに収容されている中材（クッション材）は、一般的な洗濯物と同じように干し物竿に吊下げて簡単に乾燥することが出来る。
ところで、ループはマットレスの中材やクッション材のコーナー部に縫い付けて固定され、又は中材やクッション材の全外周を拘束する縁材に設けられていることで、クッション材などの吊下げ作業は簡単である。
マットレスの中材やクッション材は干し物竿に吊下げて乾燥することで場所を取らず、重さに耐えることが出来る太さであれば、一度に何枚でも吊下げて乾燥することが可能である。
【図面の簡単な説明】
【００１２】
【図１】マットレスの内部に収容されている中材（クッション材）を取り外す作業工程。
【図２】本考案に係る中材（クッション材）を示す実施例。
【図３】中材（クッション材）を干し物竿に吊下げて乾燥する場合。
【図４】カバーから大きな１枚の中材（クッション材）を取り出す場合。
【図５】カバーから３枚の中材（クッション材）を取り出す場合。
【考案を実施するための形態】
【００１３】
図１はマットレス１から中材２（クッション材）を取り出す作業工程を表している。
（ａ）はベッド３の上面に敷かれているマットレス１を裏返しにした場合であり、該マットレス１の３方側には連続したファスナー４が設けられ、該ファスナー４を開くことで、マットレス１に収容されている中材２（クッション材）を取り出すことが出来る。
（ｂ）はファスナー４を開いて裏カバー５を捲った場合であり、マットレス１の内部には３枚の中材（クッション材）２，２・・・が配列している。
（ｃ）は配列している３枚の中材（クッション材）２，２・・・の中央の中材（クッション材）を持ち上げた状態であり、このように中材（クッション材）２，２・・・はマットレス１から取り外すことが出来る。
【００１４】
該マットレス１は、その裏面側に設けたファスナー４を開くことで、裏カバー５を捲り上げることが出来、内部に収容されている中材（クッション材）２，２・・・を取り出して乾燥することが出来る。
図２は中材（クッション材）２を示す実施例であり、その形状は長方形を成し、全外周には縁材６が縫い付けられている。そして、中材（クッション材）２の対角線上のコーナー部にはループ７，７が該縁材６に縫い付けて固定されている。
【００１５】
Ｕ形に湾曲したループ７は、その両先端が縁材６に固定されていて、該ループ７を介して中材（クッション材）２を吊下げることが出来る。図２に示す中材（クッション材）２は、対角線上の２か所にループ７，７を設けているが、１か所であっても、又はすべてのコーナー部に設ける場合もある。
また、中材（クッション材）２の全外周を拘束する上記縁材６を設けることなく、中材（クッション材）２のコーナー部に、直接ループ７，７を縫い付け固定することも可能である。
【００１６】
一方、上記縁材６は中材（クッション材）２の外周に縫い付け固定されているが、縫付けることなく、該縁材６が幅広で伸縮性に優れた生地で構成するならば、中材（クッション材）２に嵌めることで取付けることが出来る。すなわち、縁材６を中材（クッション材）２に着脱可能とすることが出来る。
【００１７】
図３は中材（クッション材）２を乾燥する為に干し物竿８に吊下げた状態を表している。ここで、ループ７を干し物竿８に直接嵌めて吊下げてもよいが、同図に示す使用例では、概略Ｓ形をした吊具９を介して干し物竿８に吊下げている。概略Ｓ形をした吊具９は、上部と下部にカギを形成し、下部のカギはループ７に係止し、上部のカギは干し物竿８に係止している。
このように、概略Ｓ形の吊具９は干し物竿８に係止して取付けられており、その為に、ループ７を該吊具９に係止することで簡単に吊下げることが可能である。
【符号の説明】
【００１８】
１   マットレス
２   中材（クッション材）
３   ベッド
４   ファスナー
５   裏カバー
６   縁材
７   ループ
８   干し物竿
９   吊具
【図１】
0003232636.tif 000003
【図２】
0003232636.tif 000004
【図３】
0003232636.tif 000005
【図４】
0003232636.tif 000006
【図５】
0003232636.tif 000007
【手続補正書】
【提出日】令和3年4月13日(2021.4.13)
【手続補正１】
【補正対象書類名】実用新案登録請求の範囲
【補正対象項目名】全文
【補正方法】変更
【補正の内容】
【実用新案登録請求の範囲】
【請求項１】
マットレスの内部に収容される中材やクッション材及びその他ソファーや枕のクッション材において、これら中材やクッション材を乾燥する場合、干し物竿に吊下げることが出来るように、外周にループを設けたことを特徴とするクッション材。
【請求項２】
上記ループを長方形をしたコーナー部に設けた請求項１記載のクッション材。
【請求項３】
上記ループを長方形をした対角線上に設けた請求項２記載のクッション材。
【請求項４】
上記中材やクッション材の全外周に縁材を設け、該縁材にループを縫い付け固定した請求項１、請求項２、又は請求項３記載のクッション材。